(57)【特許請求の範囲】
【請求項１】
胴部に繋ぎで連続する巻取状のウエットティッシュを収容し、胴部の上端を熱融着によるシール部を形成して封止し、このシール部の下方に開封用ノッチを形成し、この開封用ノッチの下方にジッパーを設け、胴部の片側の胴壁の上方位置に取出部材取付孔を設け、この取出部材取付孔を外面に剥離及び再接着可能に接着したバリヤ性のシールフィルムで封止するバリヤ性を有するスタンディングパウチと、他端に取出口をもつ隔壁板を設けた前記取出部材取付孔の口径と内径がほぼ同寸法の周壁筒をフランジの内周に立設する口栓の取出部材とからなり、使用するときに、前記スタンディングパウチを開封用ノッチにより開封し、ジッパーを開口し、外面に接着するシールフィルムを一部を接着させて剥離し、内面の取出部材取付孔の外周縁に前記口栓をフランジを接着して取り付け、ウエットティッシュの先端を隔壁板の取出口から突出させることを特徴とするウエットティッシュ容器。
【請求項２】
胴部に繋ぎで連続する巻取状のウエットティッシュを収容し、胴部の片側の胴壁の上方位置に、バリヤ性のシールフィルムを外面に剥離可能に接着して封止した取出部材取付孔を設け、この取出部材取付孔の上方にジッパーを設け、このジッパーの上方に開封用ノッチを形成し、この開封用ノッチの上方に取出部材を収容して熱融着によるシール部を形成して封止したバリヤ性を有するスタンディングパウチであって、前記取出部材が、他端に小蓋をヒンジで接続し、内側に取出口をもつ隔壁板を設けた前記取出部材取付孔の口径と内径がほぼ同寸法の周壁筒をフランジの内周に立設するヒンジキャップと、このヒンジキャップの周壁筒に嵌入する嵌入筒を内周縁に立設する固定リングとからなり、使用するときに、繋ぎで連続する巻取状のウエットティッシュを収容する前記スタンディングパウチの外面に接着するシールフィルムを剥離して、取出部材取付孔を開口し、この取出部材取付孔の外面周縁部に前記ヒンジキャップのフランジを当接し、周壁筒に前記固定リングの嵌入筒を突出させて前記取出部材を取り付け、ウエットティッシュの先端を隔壁板の取出孔から突出させることを特徴とするウエットティッシュ容器。
【発明の詳細な説明】
【０００１】
【発明の属する技術分野】
本発明は、ウエットティッシュを収容して使用するウエットティッシュ容器に関するもであり、詳しくは、使用したのちの廃棄処理がしやすいウエットティッシュ容器に関するものである。
【０００２】
【従来の技術】
従来、ウエットティッシュ容器は、通常、７０枚又は１５０枚のウエットティッシュを繋ぎで連続させて巻取状に巻き、プラスチック製の円筒状のブロー成形容器に収容し、この容器の広口の口頸部に、ウエットティッシュの取出口をもつプラスチック製の小蓋付きのヒンジキャップを装着したものである。そして、ウエットティッシュを使用するときに、ヒンジキャップの小蓋を開口し、ウエットティッシュの取出口から、先端が突出するウエットティッシュを指で引き出して、次のウエットティッシュの先端が出たときに、取出口のウエットティッシュの締付け力によって、ウエットティッシュ間の繋ぎを自動的に切断して、一枚ずつ分離して使用していた。
【０００３】
【発明が解決しようとする課題】
しかしながら、近年、環境保全の立場から、消費者の環境意識も高まり、環境問題を配慮したパッケージが求められるようになってきた。上述の従来のウエットティッシュ容器は、内容物を使用し、容器を廃棄処理するときに、容器を押し潰して容量を小さくすることが難しくて嵩張り、プラスチック量も多く、また、リサイクルができないので廃棄処理の上で難点があった。
【０００４】
本発明は、上述の従来の問題を解決したものであり、使用後の容器の廃棄処理がしやすく、部材の再使用も可能であり、また、使用時に取り扱いやすく、内容物の保護性も良好なウエットティッシュ容器を提供するものである。
【０００５】
【課題を解決するための手段】
本発明の第１の発明は、図１（ａ）及び（ｂ）に示すように、胴部（１１０）に繋ぎで連続する巻取状のウエットティッシュ（２０）を収容し、胴部（１１０）の上端を熱融着によるシール部（１５０）を形成して封止し、このシール部の下方に開封用ノッチ（１４０）を形成し、この開封用ノッチの下方にジッパー（１３０）を設け、胴部（１１０）の片側の胴壁の上方位置に取出部材取付孔（１１１）を設け、この取出部材取付孔を外面に剥離及び再接着可能に接着したバリヤ性のシールフィルム（５００）で封止するバリヤ性を有するスタンディングパウチ（１００）と、他端に取出口（３４１）をもつ隔壁板（３４０）を設けた前記取出部材取付孔（１１１）の口径と内径がほぼ同寸法の周壁筒（３２０）をフランジ（３１０）の内周に立設する口栓（３００）の取出部材とからなり、使用するときに、前記スタンディングパウチ（１００）を開封用ノッチ（１４０）により開封し、ジッパー（１３０）を開口し、外面に接着するシールフィルム（５００）を一部を接着させて剥離し、内面の取出部材取付孔（１１１）の外周縁に前記口栓（３００）をフランジ（３１０）を接着して取り付け、ウエットティッシュ（２０）の先端（２１）を隔壁板（３４０）の取出口（３４１）から突出させることを特徴とするウエットティッシュ容器（１０）である。
【０００６】
そして、本発明の第２の発明は、図２（ａ）及び（ｂ）に示すように、胴部（１１０）に繋ぎで連続する巻取状のウエットティッシュ（２０）を収容し、胴部（１１０）の片側の胴壁の上方位置に、バリヤ性のシールフィルム（５００）を外面に剥離可能に接着して封止した取出部材取付孔（１１１）を設け、この取出部材取付孔の上方にジッパー（１３０）を設け、このジッパーの上方に開封用ノッチ（１４０）を形成し、この開封用ノッチの上方に取出部材を収容して熱融着によるシール部（１５０）を形成して封止したバリヤ性を有するスタンディングパウチ（１００）であって、前記取出部材が、他端に小蓋（２３０）をヒンジ（２０１）で接続し、内側に取出口をもつ隔壁板を設けた前記取出部材取
付孔（１１１）の口径と内径がほぼ同寸法の周壁筒（２２０）をフランジ（２１０）の内周に立設するヒンジキャップ（２００）と、このヒンジキャップの周壁筒（２２０）に嵌入する嵌入筒（４１０）を内周縁に立設する固定リング（４００）とからなり、使用するときに、繋ぎで連続する巻取状のウエットティッシュ（２０）を収容する前記スタンディングパウチ（１００）の外面に接着するシールフィルム（５００）を剥離して、取出部材取付孔（１１１）を開口し、この取出部材取付孔の外面周縁部に前記ヒンジキャップ（２００）のフランジ（２１０）を当接し、周壁筒（２２０）に前記固定リング（４００）の嵌入筒（４１０）を突出させて前記取出部材を取り付け、ウエットティッシュ（２０）の先端（２１）を隔壁板の取出孔から突出させることを特徴とするウエットティッシュ容器（１０）である。
【０００７】
【作用】
本発明のウエットティッシュ容器は、胴部に取出部材を取り付けた多層フィルムからなるスタンディングパウチであるので、使用後の容器を廃棄処理するときに、従来のプラスチック製の円筒状のブロー成形容器に比較して、プラスチック量が少なく、また、嵩張ることがないので廃棄しやすい。
【０００８】
また、本発明のウエットティッシュ容器の胴部に取り付けられる射出成形品の取出部材は、剥離可能な接着や嵌挿によるものであるので、使用後の容器を廃棄処理するときに、スタンディングパウチから取り外して、再使用することができる。
【０００９】
また、本発明のウエットティッシュ容器を形成する多層フィルムは、構成層中にバリヤ層を有しているため、流通及び保管時に、内容物としてのウエットティッシュに対する保護性が良好である。また、使用時には、軽量であり、開口部にジッパーも設けられているので、取り扱いがしやすい。
【００１０】
【発明の実施の形態】
本発明のウエットティッシュ容器は、スタンディングパウチと取出部材からなり、スタンディングパウチは、両面にシーラント層（熱融着する樹脂層）を形成し、中間層に酸化ケイ素蒸着フィルムなどのバリヤ層を有する多層フィルムで製袋し、取出部材は、ポリプロピレンやポリエチレンなどの熱可塑性樹脂で射出成形して作製したものである。
【００１１】
そして、本発明の一実施形態のウエットティッシュ容器（１０）は、図１（ａ）及び（ｂ）に示すように、スタンディングパウチ（１００）の胴部（１１０）に繋ぎで連続する巻取状のウエットティッシュ（２０）を収容し、胴部（１１０）の上端を熱融着によるシール部（１５０）を形成して封止し、このシール部の下方に開封用ノッチ（１４０）を形成し、この開封用ノッチの下方にジッパー（１３０）を設け、胴部（１１０）の片側の胴壁の上方位置に取出部材取付孔（１１１）を設け、この取出部材取付孔を外面に剥離及び再接着可能に接着したバリヤ性のシールフィルム（５００）で封止するものであり、取出部材は、他端に取出口（３４１）をもつ隔壁板（３４０）を設けた取出部材取付孔（１１１）の口径と内径がほぼ同寸法の周壁筒（３２０）をフランジ（３１０）の内周に立設する口栓（３００）である。そして、使用するときに、スタンディングパウチ（１００）を開封用ノッチ（１４０）により開封し、ジッパー（１３０）を開口し、外面に接着するシールフィルム（５００）を一部を接着させて剥離し、内面の取出部材取付孔（１１１）の外周縁に口栓（３００）をフランジ（３１０）を剥離可能に接着して取り付け、ウエットティッシュ（２０）の先端（２１）を隔壁板（３４０）の取出口（３４１）から突出させ、開口部（１２０）のジッパー（１３０）を閉じて封止したのち、取出口から突出するウエットティッシュの先端を指で引っ張り出して使用するものである。なお、使用枚数のウエットティッシュを引き出したのちは、取出部材取付孔（１１１）をシールフィルム（５００）を再接着して封止するものである。
【００１２】
また、本発明の他の一実施形態のウエットティッシュ容器（１０）は、図２（ａ）及び（ｂ）に示すように、スタンディングパウチ（１００）の胴部（１１０）に繋ぎで連続する巻取状のウエットティッシュ（２０）を収容し、胴部（１１０）の片側の胴壁の上方位置に、バリヤ性のシールフィルム（５００）を外面に剥離可能に接着して封止した取出部材取付孔（１１１）を設け、この取出部材取付孔の上方にジッパー（１３０）を設け、このジッパーの上方に開封用ノッチ（１４０）を形成し、この開封用ノッチの上方に取出部材を収容して熱融着によるシール部（１５０）を形成して封止するものであり、取出部材は、他端に小蓋（２３０）をヒンジ（２０１）で接続し、内側に取出口をもつ隔壁板を設けた取出部材取付孔（１１１）の口径と内径がほぼ同寸法の周壁筒（２２０）をフランジ（２１０）の内周に立設するヒンジキャップ（２００）と、このヒンジキャップの周壁筒（２２０）に嵌入する嵌入筒（４１０）を内周縁に立設する固定リング（４００）とからなるものである。そして、使用するときに、スタンディングパウチ（１００）の上方の開封用ノッチ（１４０）により開封し、ヒンジキャップ（２００）と固定リング（４００）を取り出し、そして、繋ぎで連続する巻取状のウエットティッシュ（２０）を収容するスタンディングパウチ（１００）の外面に接着するシールフィルム（５００）を剥離して、取出部材取付孔（１１１）を開口し、この取出部材取付孔の外面周縁部にヒンジキャップ（２００）のフランジ（２１０）を当接し、周壁筒（２２０）に固定リング（４００）の嵌入筒（４１０）を突出させて取出部材を取り付け、ウエットティッシュ（２０）の先端（２１）を隔壁板の取出孔から突出させ、開口部（１２０）のジッパー（１３０）を閉じて封止したのち、取出口から突出するウエットティッシュの先端を指で引っ張り出して使用するものである。なお、使用枚数のウエットティッシュを引き出したのちは、ヒンジキャップ（２００）の小蓋（２３０）を閉じて封止するものである。
【００１３】
【発明の効果】
本発明のウエットティッシュ容器は、バリヤ層を構成層中にもつ多層フィルムで作製されたスタンディングパウチであり、このスタンディングパウチの胴部に取出部材が取り外し可能に取り付けられており、また、開口部は、ジッパーにより開閉が自由である。このため、本発明のウエットティッシュ容器は、使用後の容器を廃棄処理するときには、従来のウエットティッシュ容器と比較して、プラスチック量が少なく、嵩張ることもなくて廃棄しやすい。また、取出部材が再使用できる。そして、流通及び保管時には、ウエットティッシュの保護性が良好であり、また、使用時には、軽量であるので取り扱いしやすい。
【図面の簡単な説明】
【図１】  （ａ）は、本発明の一実施形態のウエットティッシュ容器の構成を示すスタンディングパウチと取出部材との斜視図であり、（ｂ）は、使用時に、スタンディングパウチを開封して取出部材を取り付け、その取出部材にウエットティッシュを装填する状態を示す斜視図である。
【図２】  （ａ）は、本発明の他の一実施形態のウエットティッシュ容器の未使用時の状態を示す説明図であり、（ｂ）は、使用時に、スタンディングパウチを開封して取出部材を取り付ける状態を示す斜視図である。
【符号の説明】
１０……ウエットティッシュ容器
２０……ウエットティッシュ
２１……先端
１００……スタンディングパウチ
１１０……胴部
１１１……取付部材取付孔
１２０……開口部
１３０……ジッパー
１４０……開封用ノッチ
１５０……シール部
２００……ヒンジキャップ
２０１……ヒンジ
２１０，３１０……フランジ
２２０，３２０……周壁筒
２３０……小蓋
２４０，３４０……隔壁板
２４１，３４１……取出口
３００……口栓
４００……固定リング
４１０……嵌入筒
５００……シールフィルム
【図１】
0003826496.tif 000002
【図２】
0003826496.tif 000003